(57)【要約】【課題】バックアップ電流の異常を判定することができるエンコーダを提供する。【解決手段】被検出体２２の回転角度を検出するエンコーダ１０であって、被検出体２２の回転数を取得する回転数取得部４４を備える主回路３６と、主回路３６が主電源回路２４から切断されているときに、主回路３６に電力を供給するバックアップバッテリ２６と、バックアップバッテリ２６から主回路３６に電力が供給されているときに、バックアップバッテリ２６の消費電流をバックアップ電流として取得する電流取得部３０と、回転数取得部４４により取得された被検出体２２の回転数が所定回転数である場合に、バックアップ電流が所定電流値より大きいときには、バックアップ電流の異常と判定する電流異常判定部３２と、を有する。【選択図】図２
2019144080.tif 000002
【特許請求の範囲】
【請求項１】
被検出体の回転角度を検出するエンコーダであって、
前記被検出体の回転数を取得する回転数取得部を備える主回路と、
前記主回路が主電源回路から切断されているときに、前記主回路に電力を供給するバックアップバッテリと、
前記バックアップバッテリから前記主回路に前記電力が供給されているときに、前記バックアップバッテリの消費電流をバックアップ電流として取得する電流取得部と、
前記回転数取得部により取得された前記被検出体の前記回転数が所定回転数である場合に、前記バックアップ電流が所定電流値より大きいときには、前記バックアップ電流の異常と判定する電流異常判定部と、
を有する、エンコーダ。
【請求項２】
請求項１に記載のエンコーダであって、
前記バックアップバッテリから前記主回路に前記電力が供給されている間の一部の時間において、前記電流取得部は前記バックアップ電流を取得し、前記電流異常判定部は前記バックアップ電流の異常を判定する、エンコーダ。
【請求項３】
請求項１に記載のエンコーダであって、
前記バックアップバッテリから前記主回路に前記電力が供給されている間に、前記電流取得部は前記バックアップ電流を間欠的に取得し、前記電流異常判定部は前記バックアップ電流の異常を間欠的に判定する、エンコーダ。
【請求項４】
請求項１ないし３のいずれか１項に記載のエンコーダであって、
前記回転数取得部により取得された前記被検出体の前記回転数が静止状態である場合に、前記電流取得部は前記バックアップ電流を取得し、前記電流異常判定部は前記バックアップ電流の異常を判定する、エンコーダ。
【請求項５】
主回路が主電源回路から切断されているときに、前記主回路に電力を供給するバックアップバッテリを有するエンコーダにおいて、前記バックアップバッテリの消費電流であるバックアップ電流の異常を判定するバックアップ電流異常判定方法であって、
前記バックアップバッテリから前記主回路に前記電力が供給されているときに、前記バックアップバッテリの消費電流をバックアップ電流として取得する電流取得ステップと、
被検出体の回転数を取得する回転数取得ステップと、
前記回転数取得ステップにおいて取得された前記被検出体の前記回転数が所定回転数である場合に、前記バックアップ電流が所定電流値より大きいときには、前記バックアップ電流の異常と判定する電流異常判定ステップと、
を有する、バックアップ電流異常判定方法。
【請求項６】
請求項５に記載のバックアップ電流異常判定方法であって、
前記バックアップバッテリから前記主回路に前記電力が供給されている間の一部の時間において、前記電流取得ステップは前記バックアップ電流を取得し、前記電流異常判定ステップは前記バックアップ電流の異常を判定する、バックアップ電流異常判定方法。
【請求項７】
請求項５に記載のバックアップ電流異常判定方法であって、
前記バックアップバッテリから前記主回路に前記電力が供給されている間に、前記電流取得ステップは前記バックアップ電流を間欠的に取得し、前記電流異常判定ステップは前記バックアップ電流の異常を間欠的に判定する、バックアップ電流異常判定方法。
【請求項８】
請求項５ないし７のいずれか１項に記載のバックアップ電流異常判定方法であって、
前記回転数取得ステップにより取得された前記被検出体の前記回転数が静止状態である場合に、前記電流取得ステップは前記バックアップ電流を取得し、前記電流異常判定ステップは前記バックアップ電流の異常を判定する、バックアップ電流異常判定方法。
【発明の詳細な説明】
【技術分野】
【０００１】
本発明は、バックアップバッテリを有するエンコーダ、および、バックアップバッテリを有するエンコーダのバックアップ電流異常判定方法に関する。
【背景技術】
【０００２】
下記特許文献１には、被検出体の回転角度を検出するエンコーダが開示されている。
【先行技術文献】
【特許文献】
【０００３】
【特許文献１】国際公開２００７／０１０７１６号
【発明の概要】
【発明が解決しようとする課題】
【０００４】
エンコーダはバックアップバッテリを有しており、主電源がＯＦＦとなったときであっても、バックアップバッテリからの電力を用いて、被検出体の回転角度を検出している。これにより、主電源がＯＦＦの間に被検出体が回転した場合であっても、主電源がＯＮとなったときに、被検出体の回転角度を正確に検出することができる。バックアップバッテリから供給されるバックアップ電流に異常が生じた場合には、バックアップバッテリの電力が早期に消費されるおそれがある。そのため、バックアップ電流の異常を判定する必要があるが、上記特許文献１に記載の技術では、バックアップ電流の異常を判定する点について開示がなく、バックアップ電流の異常を判定することができなかった。
【０００５】
本発明は、上記の問題を解決するためになされたものであり、バックアップ電流の異常を判定することができるエンコーダおよびバックアップ電流異常判定方法を提供することを目的とする。
【課題を解決するための手段】
【０００６】
本発明の第１の態様は、被検出体の回転角度を検出するエンコーダであって、前記被検出体の回転数を取得する回転数取得部を備える主回路と、前記主回路が主電源回路から切断されているときに、前記主回路に電力を供給するバックアップバッテリと、前記バックアップバッテリから前記主回路に前記電力が供給されているときに、前記バックアップバッテリの消費電流をバックアップ電流として取得する電流取得部と、前記回転数取得部により取得された前記被検出体の前記回転数が所定回転数である場合に、前記バックアップ電流が所定電流値より大きいときには、前記バックアップ電流の異常と判定する電流異常判定部と、を有する。
【０００７】
本発明の第２の態様は、主回路が主電源回路から切断されているときに、前記主回路に電力を供給するバックアップバッテリを有するエンコーダにおいて、前記バックアップバッテリの消費電流であるバックアップ電流の異常を判定するバックアップ電流異常判定方法であって、前記バックアップバッテリから前記主回路に前記電力が供給されているときに、前記バックアップバッテリの消費電流をバックアップ電流として取得する電流取得ステップと、被検出体の回転数を取得する回転数取得ステップと、前記回転数取得ステップにおいて取得された前記被検出体の前記回転数が所定回転数である場合に、前記バックアップ電流が所定電流値より大きいときには、前記バックアップ電流の異常と判定する電流異常判定ステップと、を有する。
【発明の効果】
【０００８】
本発明によれば、バックアップ電流の異常を判定することができる。
【図面の簡単な説明】
【０００９】
【図１】エンコーダの検出部の斜視図である。
【図２】エンコーダのブロック図である。
【図３】被検出体の回転数とバックアップ電流の関係を示すグラフである。
【図４】電流異常判定部において行われるバックアップ電流異常判定処理の流れを示すフローチャートである。
【発明を実施するための形態】
【００１０】
〔第１の実施の形態〕
［エンコーダの構成］
図１は、エンコーダ１０の検出部１２の斜視図である。図２は、エンコーダ１０のブロック図である。検出部１２は、ＬＥＤ（Light Emitting Diode:発光ダイオード）１４、回転ディスク１６、固定スリット１８およびフォトダイオード２０から構成されている。回転ディスク１６は、光学パターンが書き込まれており、モータ等の被検出体２２の回転軸と一体に回転するように設けられている。固定スリット１８には、複数のスリットが設けられており、回転ディスク１６とフォトダイオード２０との間に設置されている。ＬＥＤ１４により発光された光は、回転ディスク１６の回転にともなって、透過または遮断される。回転ディスク１６を透過した光は、固定スリット１８のスリットを通過し、フォトダイオード２０において電流に変換される。
【００１１】
エンコーダ１０は、主電源回路２４、バックアップバッテリ２６、駆動回路２８、電流取得部３０、電流異常判定部３２、報知部３４および主回路３６を有している。駆動回路２８は、主電源がＯＮである場合には、主電源回路２４の電力を用いて、主回路３６を駆動し、主電源がＯＦＦである場合には、バックアップバッテリ２６の電力を用いて主回路３６を駆動する。電流取得部３０は、主電源がＯＦＦである場合に、バックアップバッテリ２６の消費電流であるバックアップ電流を取得する。電流異常判定部３２は、主電源がＯＦＦである場合に、バックアップ電流の異常を判定する。電流異常判定部３２は、バックアップバッテリ２６の電力を用いて駆動する。電流異常判定部３２については、後で詳述する。報知部３４は、例えば、ライトやブザー等であって、電流異常判定部３２により制御されて、オペレータにバックアップ電流の異常を報知する。
【００１２】
主回路３６は、ＬＥＤ１４、フォトダイオード２０、アナログ信号生成回路３８、比較器４０および回転角度算出部４２から構成されている。アナログ信号生成回路３８は、フォトダイオード２０から出力された電流の大きさに応じて、アナログ信号を生成する。比較器４０は、アナログ信号生成回路３８から出力されたアナログ信号を、矩形波信号に変換する。回転角度算出部４２は、比較器４０から出力された矩形波信号に基づいて、被検出体２２の回転角度を算出する。なお、比較器４０から出力される矩形波信号により被検出体２２の回転数を取得することができ、比較器４０は回転数取得部４４を構成している。
【００１３】
［バックアップ電流について］
本実施の形態のエンコーダ１０は、主電源がＯＦＦであるときにも被検出体２２の回転角度を検出するバックアップを行っている。これにより、主電源がＯＦＦであるときに被検出体２２が回転した場合にも、主電源がＯＮになったときに被検出体２２の回転角度を正確に求めることができる。
【００１４】
バックアップ実行時には、駆動回路２８は、主回路３６を間欠的に駆動させることによって、バックアップバッテリ２６の消費電流を抑制している。また、駆動回路２８は、被検出体２２の回転数が大きいほど、主回路３６を駆動させる頻度を高くすることによって、被検出体２２の回転角度の検出精度を確保している。
【００１５】
図３は、被検出体２２の回転数とバックアップ電流の関係を示すグラフである。前述のように、駆動回路２８は、被検出体２２の回転数が大きいほど、主回路３６を駆動させる頻度を高くしているため、被検出体２２の回転数が大きいほどバックアップ電流は大きくなる。
【００１６】
［バックアップ電流異常判定処理］
図４は、電流異常判定部３２において行われるバックアップ電流異常判定処理の流れを示すフローチャートである。
【００１７】
ステップＳ１において、電流異常判定部３２は、主電源がＯＦＦであるか否かを判定する。主電源がＯＦＦであるときにはステップＳ２へ移行し、主電源がＯＮであるときには処理を終了する。
【００１８】
ステップＳ２において、電流異常判定部３２は、比較器４０から出力される矩形波信号に基づいて、被検出体２２が静止状態であるか否かを判定する。被検出体２２が静止状態である場合にはステップＳ３へ移行し、被検出体２２が静止状態でない場合には処理を終了する。被検出体２２の静止状態は、被検出体２２の回転数がゼロの場合、および、被検出体２２の回転数が矩形波信号の変化として表れない程度に小さい場合を含む。
【００１９】
ステップＳ３において、電流異常判定部３２は、バックアップ電流が所定電流値より大きいか否かを判定する。バックアップ電流が所定電流値よりも大きい場合にはステップＳ４へ移行し、バックアップ電流が所定電流値以下である場合にはステップＳ６へ移行する。
【００２０】
ステップＳ４において、電流異常判定部３２は、バックアップ電流が異常であると判定し、ステップＳ５へ移行する。ステップＳ５において、電流異常判定部３２は、オペレータにバックアップ電流が異常である旨を報知するように報知部３４を制御して、処理を終了する。ステップＳ６において、電流異常判定部３２は、バックアップ電流が正常であると判定して、処理を終了する。
【００２１】
電流異常判定部３２におけるバックアップ電流異常判定処理は、主電源がＯＦＦであるときに常に行うのではなく、一部の時間において行われるようにいてもよい。また、電流異常判定部３２におけるバックアップ電流異常判定処理は、主電源がＯＦＦであるときに、間欠的に行われるようにしてもよい。
【００２２】
さらに、電流異常判定部３２が、バックアップ電流が異常であると判定した後は、バックアップ電流異常判定処理を行わないようにしてもよい。また、電流異常判定部３２が、バックアップ電流が正常であると判定した後は、次回、主電源がＯＮからＯＦＦとなるまでは、バックアップ電流異常判定処理を行わないようにしてもよい。
【００２３】
なお、ステップＳ２において、電流異常判定部３２は、被検出体２２が静止状態であるか否かを判定するのではなく、被検出体２２の回転数が所定回転数であるか否かを判定するようにしてもよい。その場合、ステップＳ３において、電流異常判定部３２が、バックアップ電流が所定電流値より大きいか否かを判定するときの所定電流値は、所定回転数に応じた電流に設定すればよい。
【００２４】
［作用効果］
バックアップ電流は被検出体２２の回転数に応じて増減する。例えば、図３に示すようにバックアップ電流の異常を判定するための閾値を設定したとしても、被検出体２２の回転数増加によってバックアップ電流も増加して閾値を超えることがある。そのため、異常によりバックアップ電流が増大しているのか、被検出体２２の回転数増加にともなってバックアップ電流が増大しているのかを判別することができず、バックアップ電流の異常を判定することができなかった。
【００２５】
そこで本実施の形態のエンコーダ１０は、被検出体２２が静止状態であるときのバックアップ電流が所定電流値より大きい場合には、電流異常判定部３２によりバックアップ電流の異常と判定する。被検出体２２が静止状態であるときの通常のバックアップ電流をもとに所定電流値を設定することにより、電流異常判定部３２はバックアップ電流の異常を正確に判定することができる。
【００２６】
また、バックアップ実行中は、被検出体２２は回転している時間よりも静止状態の時間の方が長い。被検出体２２が静止状態であるときにバックアップ電流の異常を判定するため、バックアップ電流の異常を判定の機会を多く設定することができる。
【００２７】
また、本実施の形態のエンコーダ１０は、バックアップ実行中の一部の時間において、電流異常判定部３２によりバックアップ電流の異常を判定する。また、本実施の形態のエンコーダ１０は、バックアップ実行中において、電流異常判定部３２により間欠的にバックアップ電流の異常を判定する。バックアップ実行中は、電流異常判定部３２も、バックアップバッテリ２６の電力によって駆動される。よって、電流異常判定部３２の省電力化を図り、バックアップバッテリ２６の容量の減少を抑制することができる。
【００２８】
〔実施の形態から得られる技術的思想〕
上記実施の形態から把握しうる技術的思想について、以下に記載する。
【００２９】
被検出体（２２）の回転角度を検出するエンコーダ（１０）であって、前記被検出体（２２）の回転数を取得する回転数取得部（４４）を備える主回路（３６）と、前記主回路（３６）が主電源回路（２４）から切断されているときに、前記主回路（３６）に電力を供給するバックアップバッテリ（２６）と、前記バックアップバッテリ（２６）から前記主回路（３６）に前記電力が供給されているときに、前記バックアップバッテリ（２６）の消費電流をバックアップ電流として取得する電流取得部（３０）と、前記回転数取得部（４４）により取得された前記被検出体（２２）の前記回転数が所定回転数である場合に、前記バックアップ電流が所定電流値より大きいときには、前記バックアップ電流の異常と判定する電流異常判定部（３２）と、を有する。これにより、電流異常判定部（３２）はバックアップ電流の異常を正確に判定することができる。
【００３０】
上記のエンコーダ（１０）であって、前記バックアップバッテリ（２６）から前記主回路（３６）に前記電力が供給されている間の一部の時間において、前記電流取得部（３０）は前記バックアップ電流を取得し、前記電流異常判定部（３２）は前記バックアップ電流の異常を判定してもよい。これにより、電流取得部（３０）、電流異常判定部（３２）の省電力化を図り、バックアップバッテリ（２６）の容量の減少を抑制することができる。
【００３１】
上記のエンコーダ（１０）であって、前記バックアップバッテリ（２６）から前記主回路（３６）に前記電力が供給されている間に、前記電流取得部（３０）は前記バックアップ電流を間欠的に取得し、前記電流異常判定部（３２）は前記バックアップ電流の異常を間欠的に判定してもよい。これにより、電流取得部（３０）、電流異常判定部（３２）の省電力化を図り、バックアップバッテリ（２６）の容量の減少を抑制することができる。
【００３２】
上記のエンコーダ（１０）であって、前記回転数取得部（４４）により取得された前記被検出体（２２）の前記回転数が静止状態である場合に、前記電流取得部（３０）は前記バックアップ電流を取得し、前記電流異常判定部（３２）は前記バックアップ電流の異常を判定してもよい。これにより、電流異常判定部（３２）は、バックアップ電流の異常の判定の機会を多く設定することができる。
【００３３】
主回路（３６）が主電源回路（２４）から切断されているときに、前記主回路（３６）に電力を供給するバックアップバッテリ（２６）を有するエンコーダ（１０）において、前記バックアップバッテリ（２６）の消費電流であるバックアップ電流の異常を判定する電流異常判定方法であって、前記バックアップバッテリ（２６）から前記主回路（３６）に前記電力が供給されているときに、前記バックアップバッテリ（２６）の消費電流をバックアップ電流として取得する電流取得ステップと、被検出体（２２）の回転数を取得する回転数取得ステップと、前記回転数取得ステップにおいて取得された前記被検出体（２２）の前記回転数が所定回転数である場合に、前記バックアップ電流が所定電流値より大きいときには、前記バックアップ電流の異常と判定する電流異常判定ステップと、を有する。これにより、電流異常判定部（３２）はバックアップ電流の異常を正確に判定することができる。
【００３４】
上記の電流異常判定方法であって、前記バックアップバッテリ（２６）から前記主回路（３６）に前記電力が供給されている間の一部の時間において、前記電流取得ステップは前記バックアップ電流を取得し、前記電流異常判定ステップは前記バックアップ電流の異常を判定してもよい。これにより、電流取得部（３０）、電流異常判定部（３２）の省電力化を図り、バックアップバッテリ（２６）の容量の減少を抑制することができる。
【００３５】
上記の電流異常判定方法であって、前記バックアップバッテリ（２６）から前記主回路（３６）に前記電力が供給されている間に、前記電流取得ステップは前記バックアップ電流を間欠的に取得し、前記電流異常判定ステップは前記バックアップ電流の異常を間欠的に判定してもよい。これにより、電流取得部（３０）、電流異常判定部（３２）の省電力化を図り、バックアップバッテリ（２６）の容量の減少を抑制することができる。
【００３６】
上記の電流異常判定方法であって、前記回転数取得ステップにより取得された前記被検出体（２２）の前記回転数が静止状態である場合に、前記電流取得ステップは前記バックアップ電流を取得し、前記電流異常判定ステップは前記バックアップ電流の異常を判定してもよい。これにより、電流異常判定部（３２）は、バックアップ電流の異常を判定の機会を多く設定することができる。
【符号の説明】
【００３７】
１０…エンコーダ                        ２２…被検出体
２４…主電源回路                        ２６…バックアップバッテリ
３０…電流取得部                        ３２…電流異常判定部
３６…主回路                            ４４…回転数取得部
【図１】
2019144080.tif 000003
【図２】
2019144080.tif 000004
【図３】
2019144080.tif 000005
【図４】
2019144080.tif 000006